(57)【要約】      （修正有）【課題】ワイヤレスイヤホン型翻訳機よりもシンプルな構造をもちコストを大幅に節約可能な翻訳機となるワイヤレスイヤホン・翻訳機一体型デバイスを提供する。【解決手段】充電ケース下側カバー１、充電ケース上側カバー２、左イヤホン穴３、右イヤホン穴４、左イヤホン５、右イヤホン６、タッチセンサー７、蝶番８が含まれるワイヤレスイヤホン・翻訳機一体型デバイスであって、蝶番で充電ケース上側カバーと接続し、左イヤホン穴と右イヤホン穴とを設ける充電ケース下側カバーと、上下に１２０°開閉可能な充電ケース上側カバーと、を有し、左イヤホン穴には左イヤホンが置かれ、右イヤホン穴には右イヤホンが置かれ、左イヤホン穴と右イヤホン穴が水平方向に平行に設けられ、左イヤホンと右イヤホンにはタッチセンサーが取り付けられる。【選択図】図１
0003226998.tif 000002
【実用新案登録請求の範囲】
【請求項１】
充電ケース下側カバー、充電ケース上側カバー、左イヤホン穴、右イヤホン穴、左イヤホン、右イヤホン、タッチセンサー、蝶番が含まれるワイヤレスイヤホン・翻訳機一体型デバイスであって、
前記蝶番で前記充電ケース上側カバーと接続し、前記左イヤホン穴と前記右イヤホン穴とを設ける前記充電ケース下側カバーと、
上下に120°開閉可能な充電ケース上側カバーと、を有し、
前記左イヤホン穴には前記左イヤホンが置かれ、前記右イヤホン穴には前記右イヤホンが置かれ、前記左イヤホン穴と前記右イヤホン穴が水平方向に平行に設けられ、前記左イヤホンと前記右イヤホンにはタッチセンサーが取り付けられる、
ワイヤレスイヤホン・翻訳機一体型デバイス。
【請求項２】
前記タッチセンサーがタッチ式または物理ボタンの何れか一つとなる、
請求項1に記載の前記ワイヤレスイヤホン・翻訳機一体型デバイス。
【請求項３】
前記左イヤホン穴と前記右イヤホン穴にフィンガーポジションを設ける、
請求項1に記載の前記ワイヤレスイヤホン・翻訳機一体型デバイス。
【請求項４】
前記左イヤホンと前記右イヤホンにイヤホンマイク端子を設ける、
請求項1に記載のワイヤレスイヤホン・翻訳機一体型デバイス。
【請求項５】
前記充電ケース下側カバーに錠を、前記充電ケース上側に受座を設ける、
請求項1に記載の前記ワイヤレスイヤホン・翻訳機一体型デバイス。
【請求項６】
前記充電ケース上側にセンサーリミット穴を有する保留溝を設ける、
請求項1に記載のワイヤレスイヤホン・翻訳機一体型デバイス。
【請求項７】
前記充電ケース上側に上側カバーマイク端子を設ける、
請求項1に記載の前記ワイヤレスイヤホン・翻訳機一体型デバイス。
【請求項８】
前記タッチセンサーには第一センシング素子、第一変換素子、第一変換回路部(73)、第一補助電源が含まれる、
請求項1に記載の前記ワイヤレスイヤホン・翻訳機一体型デバイス。
【考案の詳細な説明】
【技術分野】
【０００１】
本考案は、ワイヤレスイヤホン・翻訳機一体型デバイスに関する。
【背景技術】
【０００２】
携帯電子機器(スマートフォンなど)が盛んになっているにつれ、スマート端末の付属品であるイヤホンに対するユーザーのニーズがますます高まっている。イヤホンを利用することで、周りに迷惑を掛けずとも独りで音楽を鑑賞でき、また、周囲の環境音を遮ることが可能だから、レコーディングスタジオや、DJ、旅の途中、スポーツなどの場面において活躍している。
【０００３】
線による接続が不用となったワイヤレスダブルイヤホンと翻訳の技術によって、ユーザーの利便性をさらにアップさせる。一方、一般的なワイヤレスイヤホン型翻訳機と翻訳機は夫々独立して、利用場面が異なるため、使い勝手さが悪いのはもちろん、商品間のインタラクティブに欠けコストが高くなる。
【考案の概要】
【考案が解決しようとする課題】
【０００４】
該実用新案は既存技術の欠陥や不足を補うとして、ワイヤレスイヤホン型翻訳機から翻訳機が派生する方法により、様々な製品の機能が集結するようになり、ワイヤレスイヤホン型翻訳機よりもシンプルな構造をもちコストを大幅に節約可能な翻訳機となるワイヤレスイヤホン・翻訳機一体型デバイスを提供することを目的とする。
【課題を解決するための手段】
【０００５】
前記目的を実現するために、該実用新案は、充電ケース下側カバー、充電ケース上側カバー、左イヤホン穴、右イヤホン穴、左イヤホン、右イヤホン、タッチセンサー、蝶番が含まれ、蝶番で充電ケース上側カバーと接続し左イヤホン穴与右イヤホン穴を設ける上記充電ケース下側カバーと、蝶番で上下に120°開閉可能な上記充電ケース上側カバーを有し、上記左イヤホン穴には左イヤホンが置かれ、上記右イヤホン穴には右イヤホンが置かれ、上記左イヤホン穴と上記右イヤホン穴が水平方向に平行に設けられ、上記左イヤホンと上記右イヤホンにはタッチセンサーが取り付けられる技術的解決手段を用いる。
【０００６】
上記タッチセンサー7がタッチ式または物理ボタンのいずれか一つとなる。
【０００７】
上記左イヤホン穴と上記右イヤホン穴には左イヤホンと右イヤホンを取り出しやすくするフィンガーポジションが設けられる。
【０００８】
上記左イヤホンと上記右イヤホンにはイヤホンマイク端子が設けられる。
【０００９】
上記充電ケース下側カバーには錠が、上記充電ケース上側カバーには受座が取り付けられ、上記受座が上記錠に係着可能である。
【００１０】
上記充電ケース上側カバーには、左イヤホンと右イヤホンにあるタッチセンサーを露出させタッチしやすくするセンサーリミット穴を有する保留溝が設けられる。
【００１１】
上記充電ケース上側カバーには上側カバーマイク端子が設けられる。
【００１２】
上記タッチセンサーには第一センシング素子、第一変換素子、第一変換回路部が含まれ、主として測定される(ジェスチャータッチ)関連アナログ信号を受信するのに使う上記第一センシング素子から出力するアナログ信号を制御信号に変換する上記第一変換素子から出力する制御信号に対して、拡大、変調などを行う上記第一変換回路が、コントローラによる制御信号の認識を速くする。実際の応用においてタッチセンサーにはワイヤレスイヤホン(主に第一変換素子及び、第一変換回路部)に給電する第一補助電源も含まれる。
【００１３】
上記ワイヤレスイヤホンに関し、実際に使用しているときは左イヤホンと右イヤホンを取った後、タッチセンサーをタッチすることでワイヤレスイヤホンの操作を行う。上記翻訳機に関し、実際に使用しているときは左イヤホンと右イヤホンを左イヤホン穴と右イヤホン穴に置いて充電ケース上側カバーを閉め、この場合、タッチセンサーがセンサーリミット穴内にあるので、タッチセンサーをタッチすることで翻訳機の操作を行う。
【００１４】
該実用新案は、タッチ情報を採取して制御信号に変換することにより、ワイヤレスイヤホンが上記制御信号の制御コマンドを実行するようにコントロールするタッチセンサーがワイヤレスイヤホンに取り付けられ、プリント基板FPCやスプレー塗装、印刷などによってタッチセンサーがワイヤレスイヤホン本体に集積しているため、ワイヤレスイヤホンと接続する電子機器で操作を行わずとも、ワイヤレスイヤホンの柔軟な操作やコントロールを実現し、さらに翻訳機の機能を利用するときは、そのままワイヤレスイヤホンを、充電ケース上下側カバーと一体になるように置き、タッチセンサーをタッチすれば翻訳機の操作を行うことができることをワイヤレスイヤホン・翻訳機一体型デバイスの動作原理とする。
【考案の効果】
【００１５】
前記技術的解決手段を用いることにより、該実用新案は、当該実用新案のワイヤレスイヤホン・翻訳機一体型デバイスは、ワイヤレスイヤホン型翻訳機から翻訳機が派生する方法により、様々な製品の機能が集結するようになり、ワイヤレスイヤホン型翻訳機よりもシンプルな構造をもちコストを大幅に節約可能な翻訳機となることを考案の効果とする。
【図面の簡単な説明】
【００１６】
該実用新案の実施例または先行技術における技術的解決手段をわかりやすく説明できるように、以下、実施例または先行技術の説明に必要な図面について簡単に説明する。以下説明される図面は該実用新案の実施例の一部に過ぎず、創造的労働をしない場合は、これら図面を通じてその他図面を取得することもできることが、当業者には明らかであろう。
【図１】該実用新案の構成を示す概略図。
【図２】該実用新案における充電ケース上側カバー2の上面図。
【図３】該実用新案におけるタッチセンサー7のブロック図。
【考案を実施するための形態】
【００１７】
図1〜図3に示すように、該考案を実施するための形態は、充電ケース下側カバー1、充電ケース上側カバー2、左イヤホン穴3、右イヤホン穴4、左イヤホン5、右イヤホン6、タッチセンサー7、蝶番8が含まれ、蝶番8で充電ケース上側カバー2と接続し左イヤホン穴3と右イヤホン穴4を設ける上記充電ケース下側カバー1と、蝶番8で上下に120°開閉可能な上記充電ケース上側カバー2を有し、上記左イヤホン穴3には左イヤホン5が置かれ、上記右イヤホン穴4には右イヤホン6が置かれ、上記左イヤホン穴3と上記右イヤホン穴4が水平方向平行に設けられ、上記左イヤホン5と上記右イヤホン6にはタッチセンサー7が取り付けられる技術的解決手段を用いる。
【００１８】
さらに、上記タッチセンサー7がタッチ式または物理ボタンのいずれか一つとなる。
【００１９】
さらに、上記左イヤホン穴3と上記右イヤホン穴4には左イヤホン5と右イヤホン6を取り出しやすくするフィンガーポジション9設けられる。
【００２０】
さらに、上記左イヤホン5と上記右イヤホン6にはイヤホンマイク端子51が設けられる。
【００２１】
さらに、上記充電ケース下側カバー1には錠11が、上記充電ケース上側カバー2には受座21が取り付けられ、上記受座21が上記錠11に係着可能である。
【００２２】
さらに、左イヤホン5と右イヤホン6にあるタッチセンサー7を露出させタッチしやすくするセンサーリミット穴23を有する保留溝22が設けられる。
【００２３】
さらに、上記充電ケース上側カバー2には上側カバーマイク端子24が設けられる。
【００２４】
さらに、上記タッチセンサー7には第一センシング素子71、第一変換素子72、第一変換回路部73が含まれ、主として測定される(ジェスチャータッチ)関連アナログ信号を受信するのに使う上記第一センシング素子71から出力するアナログ信号を制御信号に変換する上記第一変換素子72から出力する制御信号に対して、拡大、変調などを行う上記第一変換回路73が、コントローラによる制御信号の認識を速くする。実際の応用においてタッチセンサー7にはワイヤレスイヤホン(主に第一変換素子72及び、第一変換回路部73)に給電する第一補助電源74も含まれる。
【００２５】
さらに、上記ワイヤレスイヤホンに関し、実際に使用しているときは左イヤホン5と右イヤホン6を取った後、タッチセンサー7をタッチすることでワイヤレスイヤホンの操作を行う。上記翻訳機に関し、実際に使用しているときは左イヤホン5と右イヤホン6を左イヤホン穴3と右イヤホン穴4に置いて充電ケース上側カバー2を閉め、この場合、タッチセンサー7がセンサーリミット穴23内にあるので、タッチセンサー7をタッチすることで翻訳機の操作を行う。
該実用新案は、タッチ情報を採取して制御信号に変換することにより、ワイヤレスイヤホンが上記制御信号の制御コマンドを実行するようにコントロールするタッチセンサーがワイヤレスイヤホンに取り付けられ、プリント基板FPCやスプレー塗装、印刷などによってタッチセンサーがワイヤレスイヤホン本体に集積しているため、ワイヤレスイヤホンと接続する電子機器で操作を行わずとも、ワイヤレスイヤホンの柔軟な操作やコントロールを実現し、さらに翻訳機の機能を利用するときは、そのままワイヤレスイヤホンを、充電ケース上下側カバーと一体になるように置き、タッチセンサーをタッチすれば翻訳機の操作を行うことができることをワイヤレスイヤホン・翻訳機一体型デバイスの動作原理とする。
前記技術的解決手段を用いることにより、該実用新案は、当該実用新案のワイヤレスイヤホン・翻訳機一体型デバイスは、ワイヤレスイヤホン型翻訳機から翻訳機が派生する方法により、様々な製品の機能が集結するようになり、ワイヤレスイヤホン型翻訳機よりもシンプルな構造をもちコストを大幅に節約可能な翻訳機となることを考案の効果とする。
上記実施形態はあくまでも例示であって、これに該実用新案の技術的解決手段は限定されない。当業者には、該実用新案の技術的解決手段の精神及び範囲内でその他変更またはこれと同等な置換えが可能であり、その変更・置換え可能な態様も当然に該実用新案の実用新案登録請求の範囲に包含されるものとする。
【符号の説明】
【００２６】
符号の説明：充電ケース下側カバー1、充電ケース上側カバー2、左イヤホン穴3、右イヤホン穴4、左イヤホン5、右イヤホン6、タッチセンサー7、蝶番8、フィンガーポジション9、錠11、受座21、保留溝22、センサーリミット穴23、第一センシング素子71、第一変換素子72、第一変換回路部73、第一補助電源74、イヤホンマイク端子51、上側カバーマイク端子24。
【図１】
0003226998.tif 000003
【図２】
0003226998.tif 000004
【図３】
0003226998.tif 000005